【事件の表示】
　平成１０年特許願第３５０３４０号「記録媒体、記録媒体対応装置」拒絶査定不服審判事件〔平成１２年　６月２３日出願公開、特開２０００−１７３２３７〕について、次のとおり審決する。
【結　論】
　本件審判の請求は、成り立たない。
【理　由】
　  
第１　手続の経緯 
　  
　本願は、平成１０年１２月９日に出願したものであって、平成２０年６月１８日付けの拒絶理由通知に対して同年８月２５日付けで手続補正がなされたが、同年９月１９日付けで拒絶査定がなされ、これに対し、同年１０月２４日付けで拒絶査定不服審判が請求され、同日付けで特許請求の範囲及び明細書について手続補正がなされた。
　その後、平成２２年９月１０日付けで前置報告書（特許法第１６４条第３項）に基づく審尋がなされ、回答書が提出されなかったものである。
　 
　
第２　平成２０年１０月２４日付けの手続補正についての補正却下の決定 
　 
［補正却下の決定の結論］ 
　平成２０年１０月２４日付けの手続補正（以下「本件補正」という。）を却下する。 
　 
［理由］ 
１．本件補正の内容 
　
（１）特許請求の範囲について、
　
（1-1）本件補正前に、 
「【請求項１】　磁気テープと、該磁気テープに対する記録又は再生を管理するための
管理情報を記憶するメモリが備えられているとともに、
　前記メモリの管理情報として、記録媒体の個体毎に付与される個体識別情報と、該磁気テープ厚さおよび長さを含む複数の拡張子情報が記録されていることを特徴とする記録媒体。
【請求項２】　前記拡張子情報は、その記録媒体の製造者を示す製造者識別情報とされていることを特徴とする請求項１に記載の記録媒体。
【請求項３】　前記メモリがリモートメモリ（非接触型メモリ）とされていることを特徴とする請求項１に記載の記録媒体。
【請求項４】　前記メモリの管理情報には、磁気テープの書き込み禁止情報及び／または読み出し禁止情報が記憶されていることを特徴とする請求項１に記載の記録媒体。
【請求項５】　前記メモリの管理情報には、磁気テープのパーティション数及び／または初期化回数が記憶されていることを特徴とする請求項１に記載の記録媒体。
【請求項６】　前記メモリの管理情報には、テープのローディング回数及び／またはカセットのローディング回数が記憶されていることを特徴とする請求項１に記載の記録媒
体。
【請求項７】　前記メモリの管理情報には、磁気テープ上に一定間隔で記録された高速サーチのための位置情報が記憶されていることを特徴とする請求項１に記載の記録媒体。
【請求項８】　前記メモリの管理情報には、アンロードした位置情報が記憶されていることを特徴とする請求項１に記載の記録媒体。
【請求項９】　磁気テープと、該磁気テープに対する記録又は再生を管理するための管理情報を記憶するメモリが備えられているとともに、前記メモリの管理情報として、記録媒体の個体毎に付与される個体識別情報と、該磁気テープ厚さおよび長さを含む複数の拡張子情報が記録されている記録媒体に対応する記録媒体対応装置として、
　前記メモリから管理情報の読出を行うことのできるメモリインターフェース手段と、　前記メモリから読み出される個体識別情報と該磁気テープ厚さおよび長さを含む複数の拡張子情報を組み合わせたデータを、その記録媒体固有の識別情報として扱う記録媒体認識手段と、
　を備えたことを特徴とする記録媒体対応装置。」 
　とあったところを、 
　 
（1-2）本件補正により、
「「【請求項１】　磁気テープと、該磁気テープに対する記録又は再生を管理するための管理情報を記憶するメモリが備えられているとともに、
　前記メモリの管理情報として、記録媒体の個体毎に付与される個体識別情報と、該磁気テープ厚さおよび長さを含む複数の拡張子情報と、
アンロードした位置情報
【請求項２】　前記拡張子情報は、その記録媒体の製造者を示す製造者識別情報とされていることを特徴とする請求項１に記載の記録媒体。
【請求項３】　前記メモリがリモートメモリ（非接触型メモリ）とされていることを特徴とする請求項１に記載の記録媒体。
【請求項４】　前記メモリの管理情報には、磁気テープの書き込み禁止情報及び／または読み出し禁止情報が記憶されていることを特徴とする請求項１に記載の記録媒体。
【請求項５】　前記メモリの管理情報には、磁気テープのパーティション数及び／または初期化回数が記憶されていることを特徴とする請求項１に記載の記録媒体。
【請求項６】　前記メモリの管理情報には、テープのローディング回数及び／またはカセットのローディング回数が記憶されていることを特徴とする請求項１に記載の記録媒体。
【請求項７】　前記メモリの管理情報には、磁気テープ上に一定間隔で記録された高速サーチのための位置情報が記憶されていることを特徴とする請求項１に記載の記録媒体。
【請求項８】　磁気テープと、該磁気テープに対する記録又は再生を管理するための
管理情報を記憶するメモリが備えられているとともに、前記メモリの管理情報として、記録媒体の個体毎に付与される個体識別情報と、該磁気テープ厚さおよび長さを含む複数の拡張子情報と、
アンロードした位置情報
　前記メモリから管理情報の読出を行うことのできるメモリインターフェース手段と、　前記メモリから読み出される個体識別情報と該磁気テープ厚さおよび長さを含む複数の拡張子情報と、
アンロードした位置情報
　を備えたことを特徴とする記録媒体対応装置。」  
としようとするものである。
　 
（２）明細書の記載について、
　
（2-1）本件補正前に、
「【００１１】
　このために本発明の記録媒体としては、磁気テープと、この磁気テープに対する記録又は再生を管理するための管理情報を記憶するメモリが備えられているとともに、メモリの管理情報として、記録媒体の個体毎に付与される個体識別情報（シリアルナンバ）と、該磁気テープ厚さおよび長さを含む複数の拡張子情報が記録されているようにする。
　この拡張子情報の１つは、その記録媒体の製造者を示す製造者識別情報とされることとする。
　また、前記メモリがリモートメモリ（非接触型メモリ）とされている。
　また、前記メモリの管理情報には、磁気テープの書き込み禁止情報及び／または読み出し禁止情報が記憶されている。
　また、前記メモリの管理情報には、磁気テープのパーティション数及び／または初期化回数が記憶されている。
　また、前記メモリの管理情報には、テープのローディング回数及び／またはカセットのローディング回数が記憶されている。
　また、前記メモリの管理情報には、磁気テープ上に一定間隔で記録された高速サーチのための位置情報が記憶されている。
　また、前記メモリの管理情報には、アンロードした位置情報が記憶されている。」、
「【００１２】
　本発明の記録媒体対応装置としては、記録媒体内のメモリから管理情報の読出を行うことのできるメモリインターフェース手段と、メモリから読み出される個体識別情報と該磁気テープ厚さおよび長さを含む複数の拡張子情報を組み合わせたデータを、その記録媒体固有の識別情報として扱う記録媒体認識手段とを備えるようにする。」
とあったものを、
　
（2-2）本件補正により、
「【００１１】
　このために本発明の記録媒体としては、磁気テープと、この磁気テープに対する記録又は再生を管理するための管理情報を記憶するメモリが備えられているとともに、メモリの管理情報として、記録媒体の個体毎に付与される個体識別情報（シリアルナンバ）と、該磁気テープ厚さおよび長さを含む複数の拡張子情報
と、アンロードした位置情報
　この拡張子情報の１つは、その記録媒体の製造者を示す製造者識別情報とされることとする。
　また、前記メモリがリモートメモリ（非接触型メモリ）とされている。
　また、前記メモリの管理情報には、磁気テープの書き込み禁止情報及び／または読み出し禁止情報が記憶されている。
　また、前記メモリの管理情報には、磁気テープのパーティション数及び／または初期化回数が記憶されている。
　また、前記メモリの管理情報には、テープのローディング回数及び／またはカセットのローディング回数が記憶されている。
　また、前記メモリの管理情報には、磁気テープ上に一定間隔で記録された高速サーチのための位置情報が記憶されている。」、
「【００１２】
　本発明の記録媒体対応装置としては、記録媒体内のメモリから管理情報の読出を行うことのできるメモリインターフェース手段と、メモリから読み出される個体識別情報と該磁気テープ厚さおよび長さを含む複数の拡張子情報
と、アンロードした位置情報
としようとするものである。
　
２．本件補正の適否
　　本件補正は、補正された請求項８、段落【００１２】において、メモリの管理情報として「メモリから読み出される個体識別情報と該磁気テープ厚さおよび長さを含む複数の拡張子情報
と、アンロードした位置情報
　
　これに対し、発明の詳細な説明、図面を検討すると、出願当初の明細書の、
　
段落【０００８】ないし段落【００１３】の
「【０００８】ここで、例えば不揮発性メモリにシリアルナンバ（製造業者が各テープカセット個々に付与するナンバ）を記憶させておけば、テープカセットの識別のためにはそのシリアルナンバを読み取るようにすればよい。例えばライブラリ装置はシリアルナンバにより個々のテープカセットを特定し、目的とするテープカセットの取り出しや収納の動作を行うことができる。
【０００９】しかしながら、シリアルナンバは、製造業者が製造した個々のテープカセットに対してそれぞれ特定のコード体系でナンバを付与するものである。従って、同一の製造業者によって製造されたテープカセット内では、そのシリアルナンバ値が同一となることはほぼあり得ないが、異なる製造業者によって製造されたテープカセット間では、同一のシリアルナンバが付与されたテープカセットが存在してしまうことがある。このようなことから、シリアルナンバのみを個々のテープカセットの識別情報として用いていると、ライブラリ装置などが個々のテープカセットの認識を誤り、誤動作を発生させることもある。
【００１０】
【課題を解決するための手段】本発明はこのような事情に応じて、例えばライブラリ装置などの記録媒体対応装置が、メモリを有するテープ記録媒体に対して、その個体を正確に判別・認識できるようにすることを目的とする。さらに、より多様な情報も容易に確認できるようにする。
【００１１】このために本発明の記録媒体としては、磁気テープと、この磁気テープに対する記録又は再生を管理するための管理情報を記憶するメモリが備えられているとともに、メモリの管理情報として、記録媒体の個体毎に付与される個体識別情報（シリアルナンバ）と、１又は複数の拡張子情報が記録されているようにする。この拡張子情報の１つは、その記録媒体の製造者を示す製造者識別情報とされることとする。また拡張子情報の１つは、その記録媒体における磁気テープの種別を示すテープ種別識別情報とされていることとする。
【００１２】本発明の記録媒体対応装置としては、記録媒体内のメモリから管理情報の読出を行うことのできるメモリインターフェース手段と、メモリから読み出される個体識別情報と１又は複数の拡張子情報を組み合わせたデータを、その記録媒体固有の識別情報として扱う記録媒体認識手段とを備えるようにする。
【００１３】或る製造業者が製造する記録媒体については、個体識別情報が重複することはない。従って記録媒体内のメモリに拡張子情報として製造業者の識別情報と個体識別情報が記憶されているとすると、その拡張子情報と個体識別情報を組み合わせた情報は、その記録媒体に固有の情報とできることになる。従って記録媒体対応装置では、個体識別情報と１又は複数の拡張子情報を組み合わせたデータを、その記録媒体固有の識別情報として扱うことで、個々の記録媒体を正確に判別・認識することができる。また、拡張子情報としてテープ種別識別情報が含まれているとすると、記録媒体対応装置では、個体識別情報と１又は複数の拡張子情報を組み合わせたデータを読み込むのみで、記録媒体の種別を判別できることになる。」なる記載、
　
段落【００２５】の
「【００２５】各テープカセット１のＥＥＰ−ＲＯＭ４ｄに記憶される管理情報内容（コンテンツ）の例を図６に示す。なお（１）〜（３３）は説明の便宜上付した数値であり、これがＥＥＰ−ＲＯＭ４ｄ内のデータ配置フォーマット等に対応するものではない。また、ここに一覧で示したコンテンツは一例であり、ここに例示していないコンテンツが記憶される場合もある。各コンテンツについて簡単に説明していく。」なる記載、
　
段落【００２８】ないし段落【００３０】の
「【００２８】（４）二次識別子
テープの属性情報が記述される。即ちテープカセット１のタイプ情報である。例えば図７（ｂ）のようにテープカセット１のタイプに応じてそれぞれ１バイトのコード値（アスキーコード）が設定される。この図７（ｂ）の二次識別子（アスキーコードの１，２，３，４，Ｗ，Ｘ，Ｙ，Ｚ）の例では、４種類のテープ長の種別が表現される。即ち「１」又は「Ｚ」は磁気テープ３が１５ｍテープであることを示し、同様に「２」又は「Ｙ」は７０ｍテープ、「３」又は「Ｘ」は１７０ｍテープ、「４」又は「Ｗ」は２３０ｍテープを、それぞれあらわすものとなる。なお、１，２，３，４と、Ｗ，Ｘ，Ｙ，Ｚの違いはシリアルナンバの桁数が６桁以内か７桁以上かによるものとなる。なお、ここでは４種類のテープ長の種別しか示していないが、他のアスキーコードを所定のテープ長に対応させて定義することももちろん可能である。
【００２９】（５）シリアル番号（シリアルナンバ）
３２文字（３２バイト）で構成されるリモートメモリチップの固有番号である。製造業者が個々のテープカセット１につきそれぞれ独自のコードが割り当てられる。付与するシリアルナンバのナンバリング規則やコード体系等は各製造業者が任意に決めるものである。
（６）シリアル番号のＣＲＣコード
上記３２バイトのシリアル番号に対して２バイトのＣＲＣが記録される。
【００３０】なお、この（３）〜（６）の製造業者識別子、二次識別子、シリアル番号、シリアル番号のＣＲＣコードとしての合計３６バイトの情報は、出荷時に記述されるデータとしてテープカセット個体毎に固有の情報となるもの。後述するようにライブラリ装置５０等は、シリアルナンバに加えて製造業者識別子、二次識別子をそれぞれ第１、第２の拡張子情報として扱い、個々のテープカセットに対する適切な識別を行うことができるようにしている。」なる記載、
　
段落【００３７】の
「【００３７】（３０）アンロード位置情報
メモリ（リモートメモリチップ）を利用することにより、磁気テープの先頭から昇べき順に番号付けしたマルチパーティションを効率的に管理できる。マルチパーティション仕様では、各パーティションに単位でロード／アンロードを行うことができるが、任意のパーティションにてアンロードする場合、次回ローディングした際に前回アンロードした場所に再びロードされたのかどうかを確認する必要がある。その為にアンロードした位置の情報をメモリーに記憶しておく。こうすることにより誤って別の場所へロードされたとしてもそれを検出し、予期せぬ位置への書き込みや、予期せぬ位置からの読み出しを未然に防ぐことができる。」なる記載、
　
段落【００７８】ないし段落【００８１】の
「【００７８】そこでライブラリ装置５０は、マガジン５２に収納されている各テープカセット１のリモートメモリチップ４と通信を行って、シリアルナンバ（及びＣＲＣ）、製造業者識別子、二次識別子としての３６バイトのデータ（又は、ＣＲＣを含まない３４バイトのデータ；以下、この３６バイトもしくは３４バイトをカセット識別情報という）を取り込む。そして個々のカセットの収納位置とカセット識別情報を対応させてメモリ８１もしくはＨＤＤ８８に、テーブル情報として記憶する。
【００７９】例えば図１５のような管理テーブルをメモリ８１もしくはＨＤＤ８８に生成する。即ち各テープカセット１について、カセット識別情報としてシリアルナンバＳ（Ｓ１、Ｓ２・・・）、製造業者識別子ＫＭ（ＫＭ１、ＫＭ２・・・）、二次識別子ＫＳ（ＫＳ１、ＫＳ２・・・）を並べたコード値を生成して記憶するとともに、それに対応させて収納位置としてＺ軸値（Ｚ）とマガジンナンバ（ＭＮＯ）を記憶する。Ｚ軸値とは、或るマガジン５２内での収納位置ナンバであり、マガジンナンバとは、カルーセル５１で選択される４つのマガジン５２のそれぞれに付与されたナンバである。なお図示するように、さらに対応させて、リモートメモリチップ４から必要な管理情報を読み出して記憶するようにしてもよい。
【００８０】ライブラリ装置５０は、収納された個々のテープカセット１に対してリモートメモリチップ４との通信を行うことで、このような管理テーブルを生成することができ、そしてこの管理テーブルは、テープカセット固有となるカセット識別情報で各テープカセットを認識できるとともに、それぞれの収納位置を管理できる。
【００８１】従って、個々の記録媒体をカセット識別情報により正確に判別／認識することができ、これにより個々の記録媒体に対して容易に正確な動作制御が可能となる。例えばテープストリーマドライブ１０への搬送すべきテープカセットの選別や、選択されたテープカセットのマガジン５２からの取り出し／搬送、さらにはテープストリーマドライブ１０からイジェクトされたテープカセットの所定位置への収納などが、管理テーブルを参照しながら実行することで容易かつ正確に実行できる。特にカセット識別情報が同一ナンバとなるテープカセットは存在しないため、マガジン５２から間違ったテープカセットを取り出すようなことも生じない。」なる記載、及び、
　
段落【００８４】の
「【００８４】なお、上記二次識別子はテープ長の種別を表すコードとしたが、もちろんテープ厚やテープカセットのバージョンナンバなどの他の種別をも表すコードとし、それがカセット識別情報の１部分となるようにしてもよく、その場合、テープカセット１の対応装置であるライブラリ装置５０やテープストリーマドライブ１０は、各テープカセット１についてのより多様な情報をカセット識別子を参照するのみで判別できることになる。」
なる記載からすると、
　
　出願当初の明細書には、同一のシリアルナンバが付与されたテープカセットが存在してしまうことがないように、シリアルナンバに加えて製造業者識別子、二次識別子をそれぞれ第１、第２の拡張子情報として扱い、シリアルナンバ（及びＣＲＣ）、製造業者識別子、二次識別子としての３６バイトのデータ（又は、ＣＲＣを含まない３４バイトのデータ；以下、この３６バイトもしくは３４バイトをカセット識別情報という）を用いること、及び、二次識別子として、「テープ長の種別を表すコード」や「テープ厚やテープカセットのバージョンナンバなどの他の種別をも表すコード」をカセット識別情報の１部分とすることが記載されている。
　
　しかしながら、アンロードした位置の情報については、次回ローディングした際に前回アンロードした場所に再びロードされたのかどうかを確認するために、メモリに記憶されるものであって、「シリアルナンバ」、「二次識別子（第２の拡張子情報）」に加えて、「アンロードした位置情報」を「カセット識別情報の１部分となるよう」にすること、すなわち、シリアルナンバに相当する「個体識別情報」と二次識別子(第２の拡張子情報）に相当する「拡張子情報」に加え、「アンロードした位置情報」をも含めて「組み合わせたデータ」を、「その記録媒体固有の識別情報として扱う」ことについては、出願当初の明細書又は図面に記載されておらず、また、自明な事項でもないものであって、新たな技術的事項を導入するものである。
　
　したがって、本件補正により補正された請求項８、及び明細書段落【００１２】に記載された事項のうち、「メモリから読み出される個体識別情報と該磁気テープ厚さおよび長さを含む複数の拡張子情報と、アンロードした位置情報を組み合わせたデータを、その記録媒体固有の識別情報として扱う」ことは、出願当初の明細書又は図面に記載されておらず、また、自明な事項でもないものであって、新たな技術的事項を追加するものであるから、本件補正は、出願当初の明細書又は図面に記載した事項の範囲内においてするものではない。
　
　
３．補正についてのむすび
　
　以上のとおりであるから、本件補正は、特許法第１７条の２第３項の規定に違反するものであって、特許法第１５９条第１項の規定において読み替えて準用する同法第５３条第１項の規定により却下すべきものである。
　
　
第３　本願発明について
　
１．本願発明
　平成２０年１０月２４日付けの手続補正は、以上のとおり却下されたので、本願請求項１ないし９に係る発明は、平成２０年８月２５日付けの手続補正によって補正された明細書及び図面からみて、特許請求の範囲の請求項１ないし９に記載されたとおりのものと認められるところ、その請求項９に係る発明（以下、「本願発明」という。）は、前記第２［理由］１．（１）（1-1）の請求項９に記載したとおりのものである。
　
２．引用例及びその記載
　これに対して、原査定の拒絶の理由に引用された刊行物である、特開平１０−２２８７５３号公報（平成１０年８月２５日公開、以下、「引用例１」という。）、特開平０９−１３９０２３号公報（平成９年５月２７日公開、以下、「引用例２」という。）には、それぞれ、以下の記載がある（なお、下線は、当審で付した。）。
　
（１）引用例１
　引用例１には、以下の記載がある。  
　  
ア．「【０００９】本発明は記録媒体カートリッジの識別情報を確実に識別することができるようにすることを課題とする。」
　
イ．「【００１０】
【課題を解決するための手段】本発明は上記した課題を解決するために、
外筐の外面に付着することによって外筐内部の記録媒体を区別するための識別情報を表示する識別表示部と、外筐の内部に設けられて識別表示部の示す情報と同一若しくは同一内容の識別情報を記憶する識別情報記憶部とを備えた記録媒体カートリッジ
そして該記録媒体カートリッジを用いた記録再生装置であって、識別表示部の識別情報を読み取る第１の読取手段と、識別情報記憶部に記憶された識別情報を読み取る第２の読取手段と、記録媒体カートリッジ内の記録媒体に情報を記録し又は記録情報を再生する記録再生手段と、第１の読取手段又は第２の読取手段によって読み取られた識別情報を、記録媒体カートリッジ内の記録媒体の識別情報として採用する識別情報規定手段とを有する装置、並びに、上記記録媒体カートリッジを複数収納して多量の情報を管理する情報管理装置を提供するものである。
　
ウ．「【００１２】
【発明の実施の形態】図１は本発明に係る記録媒体カートリッジ及びこれを用いる記録再生装置の基本構成を概念的に示すものであり、記録媒体カートリッジ１の外筐２の内部には記録媒体３が収納されている。尚、この記録媒体３には、磁気記録や光磁気記録等、あらゆる記録方式に従う媒体が含まれ、また、その形状についても、ディスクやテープ、メモリカード等に限らずあらゆる形態の媒体が含まれる。
【００１３】外筐２の外面には、記録媒体３を区別するための識別情報を表示する識別表示部４が設けられている。この識別情報については各種の情報、例えば、記録内容のタイトル、記録媒体の種類やフォーマット形式、記録方式等が挙げられる。また、識別情報の形態としては、バーコード情報のような図形的な形態の他、文字、記号、数字等を用いた符号形態が挙げられ、また、情報の読取形態には、光学式、磁気式（光磁気方式を含む）が挙げられるが、光学式の読取の方が外部磁界の影響を受け難いという点で有利であり、バーコード情報のようにその取り扱いが比較的簡易であるという利点がある。
【００１４】
外筐２の内部には上記識別表示部４の示す情報と同一若しくは同一内容の識別情報を記憶する識別情報記憶部５が設けられている。
【００１５】
そして、例えば、識別表示部のバーコード情報が、記録媒体カートリッジの出所又は属性情報を含む管理情報と、記録媒体カートリッジ毎に付される固有の番号情報とを有するようにし、識別情報記憶部にはバーコード情報の管理情報と同一若しくは同一内容の情報を格納する管理領域と、バーコード情報の番号情報と同一若しくは同一内容の情報を格納する番号領域とを設けるようにすると、管理情報を記録媒体カートリッジ内の記録媒体に記録する場合に比べて効率良く管理情報を得ることができ、また、必要に応じてバーコード情報の拡張を図ることができる。
【００１６】尚、このように記録媒体カートリッジ１に対して識別表示部４と識別情報記憶部５という２つの識別手段を併用する理由は、識別情報の信頼性と記録媒体カートリッジの取り扱い易さとを両立させるためである。即ち、識別情報の信頼性の問題については識別情報記憶部５だけを設ける方法で解決されるが、これだけでは記録媒体カートリッジの取り扱い易さの点で問題が残ってしまうことになる。
【００１７】
記録再生装置６は、上記記録媒体３に情報を記録し又は記録情報を再生する記録再生手段７を有する。例えば、記録媒体３が磁気テープや磁気ディスクであれば、記録再生手段７は磁気ヘッドを備えたドライブ装置である。
【００１８】
上記した識別表示部４の識別情報は第１の読取手段８によって読み取られ、また、識別情報記憶部５に記憶された識別情報は第２の読取手段９によって読み取られる。尚、識別情報の読取方式は接触式、非接触式を問わない。例えば、識別表示部４の識別情報がバーコード情報である場合には、第１の読取手段８が光学式の読取手段であり、また、識別情報記憶部５の情報がメモリ回路の記憶情報である場合には、第２の読取手段９がメモリ回路の接続端子に接触して情報を取り出す手段である。
　
エ．「【００２５】次に、上記した記録媒体カートリッジ１を用いて多量の情報を管理するための情報管理装置について説明する。
【００２６】
図４は情報管理装置１６の構成を示しており、複数の記録媒体カートリッジ１、１、・・・を収納する収納部１７と、記録媒体カートリッジ内の記録媒体３の再生又は記録を行うために設けられた記録再生手段１８、１８、・・・と、収納部１７から所望の記録媒体カートリッジを取り出して記録再生手段１８に搬送する搬送手段１９とを備えている。この他、記録媒体カートリッジ１の識別表示部４の識別情報を読み取るための上記第１の読取手段８や、記録媒体カートリッジ１の識別情報記憶部５に記憶された識別情報を読み取る第２の読取手段９、そして、第１の読取手段８又は第２の読取手段９が読み取った識別情報を、記録媒体３の識別情報として採用する識別情報規定手段１０を有している。
【００２７】情報管理装置１６内には制御中枢となる制御手段２０が設けられ、該制御手段２０によって記録再生手段１８、１８、・・・や搬送手段１９の制御が行われ、また、識別情報規定手段１０から制御手段２０に送出される信号によって記録媒体３の識別情報を管理している。」
　
オ．「【００３２】
【実施例】以下に、
本発明を、テープカセット及びこれを用いて情報管理を行うテープライブラリ装置に適用した実施例を、図６乃至図１５に従って説明する。
【００３３】図６はテープカセット２４の構成例を示すものであり、その外筐２４ａ内には記録媒体である磁気テープ２５が図示しないリール部材に巻回された状態で収容されている。
【００３４】そして、
テープカセット２４の外筐２４ａには上記識別表示部４に相当するバーコードラベル２６が貼り付けられており、また外筐２４ａ内には上記識別情報記憶部５に相当するメモリＩＣ（以下、「ＭＩＣ」という。）２７が設けられており、ＭＩＣ２７の記憶情報を取り出すための接続端子２７ａ、２７ａ、・・・が外筐２４ａの外部に露出している。
【００３５】
図７はテープライブラリ装置２９の概要を示すものであり、テープカセット（図示せず。）はその外筐３０の前面部３０ａに設けられた供給部３１を通して、外筐３０内の中程よりやや上方のところに上下方向に沿って設けられた収納ラック３２、３２、・・・（これらが上記した収納部１７に相当する。）に収納されるようになっている。
【００３６】
収納ラック３２、３２、・・・の下方に位置したドライブ収容部３４、３４には、上記記録再生手段１８、１８、・・・に相当する複数のテープドライブユニット３５、３５、・・・が横並びに収容されている。
【００３７】また、収納ラック３２、３２、・・・から所望のテープカセットを取り出して所定のテープドライブユニット３５に搬送し、またはその逆の搬送を行うための搬送機構３６が収納ラック３２やドライブ収容部３４に対向する状態で設けられており、該搬送機構３６には、例えば、３次元直交型ロボット等を用いることができる。尚、図７には搬送機構３６のハンドブロック３７、鉛直軸や水平軸に係る移動機構が示されている。
【００３８】ドライブ収容部３４、３４の上方には、搬送機構３６の制御を司るメカニカルコントロール部３８が設けられ、また、ドライブ収容部３４、３４の下方にはテープライブラリ装置２９の制御中枢であるシステムコントロール部３９が設けられている。
【００３９】また、外筐３０の前面部３０ａにおいて上記供給部３１のやや上方には液晶式ディスプレイ４０が設けられている。
【００４０】図８はテープライブラリ装置２９の内部構成の要部及びホストコンピューター４１を示すものであり、テープドライブユニット３５、３５、・・・や上記制御手段２０を構成するライブラリコントローラ４２がそれぞれ各別のＳＣＳＩ（Ｓｍａｌｌ  Ｃｏｍｐｕｔｅｒ  Ｓｙｓｔｅｍ  Ｉｎｔｅｒｆａｃｅ）ＩＤ番号を有する方式（所謂マルチＩＤ方式）が採用されている。
【００４１】テープライブラリ装置２９内のライブラリコントローラ４２（上記システムコントロール部３９に含まれる。）は、その内部にＣＰＵ（中央演算ユニット）４３、ＲＡＭ（ランダムアクセスメモリ）やＲＯＭ（リードオンリーメモリ）を含むメモリ４４、インターフェース部４５、４６、４７を有している。
【００４２】複数台のテープドライブユニット３５、３５、・・・は、ディジーチェーン接続とされており、また、テープライブラリ装置２９には、ホストコンピューター４１との接続用のＳＣＳＩインターフェース部４８が設けられており、これはテープドライブユニット３５、３５、・・・に接続されている。尚、ＳＣＳＩのディジーチェーン接続網はターミネータ（終端抵抗）４９で終端されている。つまり、テープドライブユニット３５やホストコンピューター４１とライブラリコントローラ４２との間の情報伝送がＳＣＳＩインターフェース部４６、４８を介して行われ、また、テープドライブユニット３５内におけるテープカセットの有無の確認等についてはインターフェース部４５を通してライブラリコントローラ４２とテープドライブユニット３５との間で行われる。
【００４３】メカコントローラ５０（上記メカニカルコントロール部３８に含まれる。）は上記搬送機構３６の制御を主に担当しており、ライブラリコントローラ４２との間で情報のやりとりを行っている。
【００４４】図９はテープライブラリ装置２９を収納ラック３２の付近において水平に切断した場合の概略的な断面図であり、搬送機構３６は、図９の紙面に垂直な方向（鉛直方向）に延びる支持軸５１と、該支持軸５１に沿って鉛直方向に移動される移動テーブル５２、そして、該移動テーブル５２上に設けられたガイドレール５３に沿って収納ラック３２の収納面に対して平行な水平方向に摺動されるハンドブロック３７とから構成されている。
【００４５】
収納ラック３２は、テープカセット２４、２４、・・・を各別に収容するために複数の小部屋３２ａ、３２ａ、・・・に分かれており、収納状態のテープカセット２４のうち収納ラック３２の外部に突出された部分に、上記したバーコードラベル２６が貼り付けられ、また、当該部分においてＭＩＣ２７の接続端子２７ａ、２７ａ、・・・が露出されている。
【００４６】
そして、ハンドブロック３７にはテープカセット２４のバーコード情報を読み取るためのバーコードリーダ５５（上記第１の読取手段８に相当する。）と、ＭＩＣ２７の記憶情報を読み取るためのＭＩＣ読取端子部５６（上記第２の読取手段９に相当する。）が設けられており、バーコード情報及びＭＩＣ２７の記憶情報がメカコントローラ５０を介してライブラリコントローラ４２に送出される。
　
カ．「【００５３】
ハンドブロック３７の筐体５４には、引き込んだテープカセット２４のＭＩＣ２７の接続端子（本実施例では、接続端子２７ａ、２７ａ、・・・がテープカセット２４の背面に露出している。）に対応する場所にＭＩＣ読取端子部５６が取り付けられており、該読取端子部がＭＩＣ２７の接続端子２７ａ、２７ａ、・・・に接触することによってＭＩＣ２７の識別情報を読み取る構成となっている。」
　
キ．「【００６２】また、
「ユニークＩＤ情報」とは下記に示す情報を含む。
【００６３】（Ｉ）バーコード情報
（ＩＩ）ＭＩＣの記憶情報（ＩＩＩ）一時的な識別情報。
【００６４】先ず、（Ｉ）はテープカセットのバーコード情報が読み取れる場合において、その読み取られたバーコード情報である。
【００６５】また、（ＩＩ）は、バーコード情報が読み取れない場合であってかつＭＩＣ２７の記憶情報が読み取れる場合に、その読み取られた記憶情報である。
【００６６】そして、（ＩＩＩ）はバーコード情報及びＭＩＣ２７の記憶情報がともに読み取れない場合においてテープカセットに対して一時的に付与される仮の識別情報であり、
このようなテープカセットが複数個存在する場合には各テープカセットに対して重複のない情報であって、かつ識別済のテープカセットの識別情報とも重複しない唯一の情報が与えられる。
　
ク．「【００９７】図１５は、バーコード情報及びＭＩＣのデータ構造の一例を示すものである。
【００９８】
バーコードラベル２６には、例えば、１０桁の情報「ＳＸ１２３４５６７８」が印刷表示されているものとし、そのうちの上位２桁「ＳＸ」は識別子としての役割を有しており、「Ｓ」が製造者である「Ｓ社」、つまりテープカセットの出所を表示している（以下、これを「出所識別子」という。）。例えば、「Ｂ社」ならＢという具合に識別子の値が付与される。
【００９９】
また、「Ｘ」は属性情報、例えば、テープカセットの種類や、外形上の形態的特徴（識別孔の有無等。）あるいはテープカセット内の記録媒体に係るフォーマット情報や材質、容量（長さ、記録時間）、シリアル番号（「ＳＸ」を除いた「１２３４５６７８」であり、これが上記したユニークＩＤ情報に相当する。）の性質等を示す情報を表示している（以下、これを「属性識別子」という。）。例えば、属性識別子の値によってテープカセットがテスト用のものか否か、あるいはテープカセットの種別やシリアル番号の桁数等を識別することができる。
【０１００】これに対応して
、ＭＩＣ２７のデータフォーマットＤＦには上記バーコード情報の桁数より大きな桁数の記憶容量が用意されており、
そして、上記したバーコード情報の下位８桁は、これより大きな桁数、例えば１０桁とされる番号領域ＤＦ＿ｎ内の格納域（例えば、下位１０桁）に格納される。
【０１０１】
管理領域ＤＦ＿ｍは上記した出所識別子及び属性識別子の格納領域を有しており、例えば、図示するように、第３２桁が出所識別子の格納場所とされてここに上記「Ｓ」が格納され、また、第３３桁が属性識別子の格納場所とされてここに上記「Ｘ」が格納される。
　  
　上記摘示事項ア．ないしク．及び図面の記載を総合勘案すると、次の発明（以下「引用発明」という。）が記載されているものと認める。 
　  
　
「磁気テープと、
テープカセットの製造者を表示する出所識別子と、テープカセットの種類、あるいはテープカセット内の記録媒体に係るフォーマット情報、容量（長さ、記録時間）等を示す情報を表示する属性識別子、及びシリアル番号を記憶するメモリＩＣ（以下「ＭＩＣ」という。）を有するテープカセットを収納するテープライブラリ装置として、
テープの再生又は記録を行うテープライブラリ装置内に、ＭＩＣの識別情報を読み取るためのＭＩＣ読取端子部を設けた、
テープライブラリ装置。」
　
　
（２）引用例２
　引用例２には、以下の記載がある。
　
ケ．「【００２６】
【発明の実施の形態】以下、発明の実施の形態について、図面を参照して詳細に説明する。
【００２７】まず、本発明に係るディスク状記録媒体は、例えば、図１に示すような光磁気ディスクを使用した書換可能なディスク状記録媒体（以下、単にディスクと言う。）Ｄiscに適用される。
【００２８】このディスクＤiscは、ＵＴＯＣ（User Table Of Contents）エリアＳuと、データ管理エリアＳdと、ピクチャ管理エリアＳpと、情報書込エリアＳiとがディスク中央から順に設けられている。
【００２９】そして、ディスクＤiscは、ディスク製造時、すなわちフォーマット時に記録された複数の識別子を有している。すなわち、ディスクＤiscは、例えば、ＵＴＯＣエリアＳuに記録された第１の識別子であるＡＩＤＮｏ．と、ピクチャ管理エリアＳpに記録された第２の識別子であるＢＩＤＮｏ．とを有している。
【００３０】ＡＩＤＮｏ．とＢＩＤＮｏ．は、図２の（Ａ），（Ｂ）に示すように、各々１６バイト（以下、BITE［０］〜［１５］で示す。）からなる。
【００３１】ＢＩＤＮｏ．において、まず、BITE［０］，［１］に設けられたフォーマットメーカコードとしては、フォーマットを行ったメーカを示すコードが記録されている。
【００３２】BITE［２］，［３］に設けられたフォーマット機器コードとしては、フォーマットを行ったフォーマット機器の名称、すなわちフォーマット機器の種類をコード化したものが記録されている。基本的に、このフォーマット機器コードとしては、フォーマット機器の作成メーカが最初の機種から通番で与えられたコードが記録されている。
【００３３】BITE［４］，［５］に設けられたフォーマッタシリアルＮｏ．コードとしては、フォーマット機器のシリアルナンバーが記録されている。
【００３４】BITE［６］〜［８］に設けられたディスクＤiscのシリアルＮｏ．コードとしては、上述したフォーマット機器コードが示すフォーマット機器により何枚目に作成されたディスクであるかを示すコードが記録されている。
【００３５】BITE［９］，［１０］に設けられた著作権コードとしては、作成されたディスクは著作権があるディスクであるか否かを示すコードが記録されている。
【００３６】BITE［１１］，［１２］に設けられた日付ＩＤコードとしては、フォーマットされた日付けが記録されている。
【００３７】そして、BITE［１３］〜［１５］に設けられた予備コードは、今後必要時に用いられるエリアである。
【００３８】上述のように、
ＢＩＤＮｏ．には、生産管理や品質管理等に利用することができる各コードが記録されている。すなわち、ＢＩＤＮｏ．は、メーカコードやシリアルＮｏ．のような付加価値ディスクＮｏ．を示すものであり、これが実際のディスクの管理Ｎｏ．となる。
【００３９】一方、ＡＩＤＮｏ．としては、ＢＩＤＮｏ．と、予め決定されている定数ＣＩＤＮｏ．とを用いた
      ＡＩＤＮｏ．＋ＢＩＤＮｏ．＝ＣＩＤＮｏ．      ・・・  式１
なる演算式１を満たすような値、すなわち
ＡＩＤＮｏ．＝ＣＩＤＮｏ．−ＢＩＤＮｏ．
なる演算式で得られる値が記録される。
【００４０】上述のようなＡＩＤＮｏ．とＢＩＤＮｏ．がディスクＤiscに記録されているため、
同じＡＩＤＮｏ．とＢＩＤＮｏ．が記録されたディスクが市場に共存することはほとんどない。
【００４１】
例えば、１００年間にフォーマット機器コードが一巡する、すなわち６５５３６種類のフォーマット機器が作成される、或いは、シリアルＮｏ．コードが一巡する、すなわち１台のフォーマット機器で１日に１６７７７２１６枚のディスクが作成されるということが起こらない限り、同一のＡＩＤＮｏ．とＢＩＤＮｏ．が記録されたディスクが市場に共存することはない。
　
コ．「【００４５】すなわち、図４に示すように、各々が２バイトのフォーマットメーカコード、フォーマット機器コード、及びフォーマッタシリアルＮｏ．コードは、各々３２進数を用いて２桁で表し、３バイトのディスクＤiscのシリアルＮｏ．コードは、１０進数を用いて８桁で表し、２バイトの日付ＩＤコードは、１６進数を用いて４桁で表す。尚、著作権コード及び予備コードに関しては、印刷表示しないものとする。」
　
３．対比  
　そこで、本願発明と引用発明とを対比する。  
　
（１）引用発明において、ＭＩＣに記憶される、例えば、容量（長さ、記録時間）を示す情報は、磁気テープに対する記録又は再生を管理するための管理情報であるから、引用発明の「テープカセットの種類、テープカセット内の記録媒体に係るフォーマット情報、容量（長さ、記録時間）等を示す情報を表示する属性識別子、及びシリアル番号を記憶するメモリＩＣ」は、本願発明の「磁気テープに対する記録又は再生を管理するための管理情報を記憶するメモリ」に相当する。
　
（２）本願明細書段落【００１１】には、個体識別情報はシリアルナンバであることが記載されており、また、引用発明の「シリアル番号」も、テープカセット毎に付与される番号であることは明らかであるから、引用発明の「シリアル番号」は、本願発明の「記録媒体の個体毎に付与される個体識別情報」に相当する。
　
（３）引用発明の「容量（長さ、記録時間）」における、「記録時間」は、磁気テープの記録容量に関連する事項であることは明らかであるから、引用発明の「長さ」についても記録容量に関連する事項であるテープ長さであると解されるから、引用発明の「容量（長さ、記録時間）」「を示す情報を表示する属性識別子」を記憶することは、本願発明の「テープ長さを含む情報が記録されている」ことに相当する。
　
（４）引用発明の「テープライブラリ装置」について、引用例１には、ライブラリ装置の収納ラックに収納されているテープカセットのうち、所定のテープカセットを取り出して、所定のテープドライブユニットに搬送し、またはその逆の搬送を行う搬送機構が設けられ（上記２．（１）段落【００３６】）るとともに、ハンドブロックには、メモリＩＣの記憶情報を読み取るためのＭＩＣ読取端子部を設けること（上記２．（１）段落【００４６】）が記載されおり、ＭＩＣの記憶情報、すなわち、シリアル番号を読み取ることにより、所定のテープカセットを取り出すことは明らかであるから、引用発明の「テープライブラリ装置」は、本願発明の「記録媒体対応装置」に相当し、また、「記録媒体固有の識別情報」を「扱う記録媒体認識手段」を有するものである。
　したがって、本願発明と引用発明は次の点で一致する。  
　
＜一致点＞  
「磁気テープと、該磁気テープに対する記録又は再生を管理するための管理情報を記憶するメモリが備えられているとともに、前記メモリの管理情報として、記録媒体の個体毎に付与される個体識別情報と、該磁気テープ長さを含む情報が記録されている記録媒体に対応する記録媒体対応装置として、
　前記メモリから読み出される個体識別情報を、その記録媒体固有の識別情報として扱う記録媒体認識手段と、
　を備えたことを特徴とする記録媒体対応装置。」
　
一方、次の点で相違する。  
　
＜相違点＞  
　
（ａ） メモリに記憶されている情報、及びその情報の読み出しについて、本願発明は、「該磁気テープ厚さおよび長さを含む複数の拡張子情報が記録されている」ものであって、「前記メモリから読み出される個体識別情報と該磁気テープ厚さおよび長さを含む複数の拡張子情報を組み合わせたデータを、その記録媒体固有の識別情報として扱う記録媒体認識手段」を有するのに対し、引用発明は、「該磁気テープ厚さ」を含む「複数の拡張子」情報が記録されていることについて特定がなく、また、「個体識別情報と該磁気テープ厚さおよび長さを含む複数の拡張子情報を組み合わせたデータを、その記録媒体固有の識別情報として扱う」ことについて特定がない点。
　
（ｂ） 本願発明では、「メモリから管理情報の読出を行うことのできるメモリインターフェース手段」を有するのに対し、引用発明はそのような特定がない点。 
　
４．当審の判断  
　上記相違点について検討する。  
　
相違点（ａ）について
　引用例２には、BITE［０］ないしBITE［１５］からなるディスクの識別子に、ディスクＤiscのシリアルＮｏ．コード以外に、フォーマットを行ったメーカを示すコード、フォーマット機器コードなどを付加し、BITE［０］ないしBITE［１５］からなるディスクの識別子を、ディスクの管理Ｎｏ．とすることにより、同じディスクの管理Ｎｏ．が共存しないようにする技術が記載されており（上記１．（２）ケ．【００２６】ないし【００４１】参照）、ディスクＤiscのシリアルＮｏ．コード以外に、他の複数のコードを組み合わせて、ディスクの管理Ｎｏ．として扱うこと、すなわち、シリアルＮｏ．コードに相当する「記録媒体の個体毎に付与される個体識別情報」と、フォーマットを行ったメーカを示すコード、フォーマット機器コードなどに相当する「複数の拡張子情報」を組み合わせたデータを、ディスクの管理Ｎｏ．に相当する「その記録媒体固有の識別情報」として扱うことに格別の困難性はない。
　したがって、引用発明の、シリアル番号に、出所識別子とテープ長さを含む属性識別子とを付加した情報に、引用例２記載の前記技術を適用して、本願発明のように、「該磁気テープ」の「長さを含む複数の拡張子情報」を記録し、「前記メモリから読み出される個体識別情報と、」「該磁気テープ」の「長さを含む複数の拡張子情報を組み合わせたデータを、その記録媒体固有の識別情報として扱う記録媒体認識手段」を設けることは、当業者が容易に想到し得る事項である。
　そして、シリアル番号以外に組み合わせるコードとして、磁気テープの長さとともにメモリに記憶することが周知な、磁気テープの厚さ(例えば、特開平０９−１６１４５０号公報（段落【００１５】）、特開平０７−３１１９９５号公報（段落【０００２】、段落【００１７】）参照）をも用いることは、当業者が適宜採用し得る事項であって格別の困難性を有しない。
　よって、引用発明に、引用例２記載の技術及び前記周知事項を適用して、本願発明のように、「該磁気テープ厚さおよび長さを含む複数の拡張子情報が記録されている」ものであって、「前記メモリから読み出される個体識別情報と該磁気テープ厚さおよび長さを含む複数の拡張子情報を組み合わせたデータを、その記録媒体固有の識別情報として扱う記録媒体認識手段」を有するようにすることは、当業者が容易に想到し得る事項である。
　
相違点（ｂ）について
　引用発明の「ＭＩＣ読取端子部」は、ＭＩＣ（メモリＩＣ）から情報を読み出すためのインターフェース手段ともいえ、また、一般に、メモリから情報を読み出すためにメモリインターフェース手段を設けることは、周知技術（例えば、特開平０９−３２０２４３号公報（段落【０００９】、特開平１０−０４２２５３号公報（段落【００１４】参照）であるから、本願発明のように「メモリから管理情報の読出を行うことのできるメモリインターフェース手段」を設けることに格別の困難性を有しない。
　
　そして、上記相違点を総合的に判断しても、本願発明が奏する効果は引用例１、引用例２に記載された発明及び周知技術から当業者が十分に予測できたものであって格別なものとはいえない。  
　 
５．むすび  
　以上のとおり、本願の請求項９に係る発明は、引用例１、引用例２に記載された発明及び周知技術に基づき当業者が容易に発明をすることができたものであるから、特許法第２９条第２項の規定により特許を受けることができない。  
　したがって、本願は、その余の請求項について論及するまでもなく拒絶すべきものである。  
　よって、結論のとおり審決する。